(57)【特許請求の範囲】
【請求項１】
遊技機の遊技盤面に対し植設された釘の盤面に対する角度を測定するための遊技機用釘角度測定装置であって、
当接面と、当該当接面とは異なる曲面又は複数の面とを有し、当該曲面又は複数の面の少なくとも１つの面には前記釘の少なくとも幹部に当接可能な釘当接部が設けられている固定手段と、
前記固定手段に対し傾動調節可能に軸支され、自身が水平状態をとっていることを視認可能である可動手段と、
前記固定手段及び可動手段の少なくとも一方に設けられ、所定の基準角度位置に対する前記可動手段が傾動された角度を計測可能な角度計測手段とを備え、
所定の基準角度位置の調整に際しては、
前記固定手段の前記当接面が前記盤面に当接させられた状態で、
前記可動手段が水平状態とさせられることに基づき前記角度計測手段における所定の基準角度位置が設定され、
角度計測に際しては、
前記固定手段の１の釘当接部が前記釘の少なくとも幹部に当接させられた状態で、前記可動手段が水平状態とさせられることに基づき、前記所定の基準角度位置に対する前記可動手段が傾動させた角度を計測可能としたことを特徴とする遊技機用釘角度測定装置。
【請求項２】
前記角度計測手段は、前記固定手段又は可動手段のいずれか一方に設けられた位置表示部と、いずれか他方に設けられた角度表示部とによって構成されていることを特徴とする請求項１に記載の遊技機用釘角度測定装置。
【請求項３】
前記位置表示部又は角度表示部のうち、前記固定手段に設けられたいずれか一方は、前記可動手段が前記基準角度位置にある場合に前記固定手段に対し位置決め固定可能となっていることを特徴とする請求項２に記載の遊技機用釘角度測定装置。
【請求項４】
前記釘当接部は、前記釘の幹部の周面形状の一部に適合するほぼ直線状の凹溝であることを特徴とする請求項１乃至３のいずれかに記載の遊技機用釘角度測定装置。
【請求項５】
前記固定手段及び可動手段の少なくとも一方には、前記可動部材を傾動調節するための傾動調節手段を設けたことを特徴とする請求項１乃至４のいずれかに記載の遊技機用釘角度測定装置。
【発明の詳細な説明】
【０００１】
【発明の属する技術分野】
本発明は、パチンコ機等の遊技機の遊技盤面に対し植設された釘の盤面に対する角度を測定するための遊技機用釘角度測定装置に関するものである。
【０００２】
【従来の技術】
従来より、パチンコ機は、外枠と、外枠に対し開閉可能に取着された前面枠と、前面枠に取着され、遊技領域を有してなる遊技盤と、前記前面枠に対し開閉可能に取着され、前後に所定間隔を隔てて一対のガラス板を有してなるガラス扉枠とを備えている。また、ガラス扉枠の下側において、遊技球発射部を覆うように前面枠に対し前飾枠が開閉可能に取着されている。かかる前飾枠には、上受皿が設けられており、上受皿に貯留された遊技球は、遊技球発射部の方へと案内されるようになっている。さらに、前記前面枠の下部には下受皿及びハンドル等が設けられている。
【０００３】
遊技盤の前面には、略円弧状の外側案内レールが敷設され、また、その内側において内側案内レールが敷設されている。さらに、内側案内レールの略上端部及び外側案内レール間には出口部が設けられ、遊技球発射部から発射された遊技球は両案内レールによって案内された後、該出口部から遊技盤面上部の遊技領域へと放出される。そして、遊技者は、遊技領域に沿って落下する遊技球の挙動等を堪能する。遊技盤を落下する遊技球が入賞口に入賞すると、遊技者に対し、所定数の遊技球（景品球）が払い出されるようになっている。
【０００４】
周知のとおり、遊技盤には多数の釘が植設されており、遊技領域に沿って落下する遊技球の落下方向や、落下速度は、上記釘によって影響される。このため、遊技球の入賞口への入り易さは、釘の遊技盤面に対する角度によって大きく左右されるといえる。かかる観点から、遊技場の関係者（ホールスタッフや営業マン等）にとって、設置されている各パチンコ機の釘の角度状況を把握する必要が生じる場合がある。
【０００５】
また、場合によっては、新規なパチンコ機等を製造販売するに際して、前記釘の角度を正確に測定しておくという要請もある。
【０００６】
【発明が解決しようとする課題】
ところが、従来においては、釘の角度を測定するための各種治具等について提案されているものの、測定に際してさらなる正確性が望まれているのも事実である。また、近年では、各種役物等の複雑化から、遊技盤の遊技領域の構成が複雑なものとなりつつある。そのため、釘角度測定用の各種治具が、他の釘や、役物等が邪魔になって、測定しようとする釘の角度を正確に測定することが困難な場合が生じるおそれがある。
【０００７】
本発明は、上述した点に鑑みてなされたものであって、その目的は、パチンコ機等の遊技機の遊技盤面に対し植設された釘の盤面に対する角度を測定するための遊技機用釘角度測定装置において、釘が過密状態で植設されていたり、多様な植設パターンを有していたりしても、できるだけ多くの釘の角度を正確に測定することの可能な遊技機用釘角度測定装置を提供することにある。
【０００８】
【課題を解決するための手段】
上記の目的を達成するべく、本発明においては、
遊技機の遊技盤面に対し植設された釘の盤面に対する角度を測定するための遊技機用釘角度測定装置であって、
当接面と、当該当接面とは異なる曲面又は複数の面とを有し、当該曲面又は複数の面の少なくとも１つの面には前記釘の少なくとも幹部に当接可能な釘当接部が設けられている固定手段と、
前記固定手段に対し傾動調節可能に軸支され、自身が水平状態をとっていることを視認可能である可動手段と、
前記固定手段及び可動手段の少なくとも一方に設けられ、所定の基準角度位置に対する前記可動手段が傾動された角度を計測可能な角度計測手段とを備え、
所定の基準角度位置の調整に際しては、
前記固定手段の前記当接面が前記盤面に当接させられた状態で、
前記可動手段が水平状態とさせられることに基づき前記角度計測手段における所定の基準角度位置が設定され、
角度計測に際しては、
前記固定手段の１の釘当接部が前記釘の少なくとも幹部に当接させられた状態で、前記可動手段が水平状態とさせられることに基づき、前記所定の基準角度位置に対する前記可動手段が傾動させた角度を計測可能としたことを特徴とする。
【０００９】
【発明の実施の形態】
手段１．遊技機の遊技盤面に対し植設された釘の盤面に対する角度を測定するための遊技機用釘角度測定装置であって、前記盤面に当接可能な当接面を有する固定手段と、前記固定手段に対し、傾動調節可能に軸支された可動手段と、前記固定手段及び可動手段の少なくとも一方に設けられ、基準位置及び該基準位置よりも前記可動手段が傾動された位置間の角度を計測するための角度計測手段とを備え、かつ、前記固定手段には、前記釘の少なくとも幹部に当接可能な複数の釘当接部が設けられていることを特徴とする遊技機用釘角度測定装置。
【００１０】
上記手段１によれば、遊技盤面に対し、固定手段の当接面が当接されうる。また、固定手段に軸支された可動手段は、固定手段に対し、傾動調節されうる。前記当接面の前記盤面への当接状態において、可動手段が適宜傾動されることにより基準位置が設定されうる。さらに、固定手段及び可動手段の少なくとも一方に設けられた角度計測手段において、基準位置及び該基準位置よりも前記可動手段が傾動された位置間の角度が計測され、これにより、釘の角度が正確に測定されうる。この測定に際しては、固定手段に設けられた釘当接部が、釘の少なくとも幹部に当接されうる。上記手段では、釘当接部が複数設けられている。このため、釘が過密状態で植設されていたり、多様な植設パターンを有していたりすることにより、１の釘当接部を釘の幹部に当接させることが困難な場合であっても、他の釘当接部が当該釘の幹部に当接させることができる場合がある。従って、より多くの釘の角度が測定されうる。
【００１１】
手段２．上記手段１において、前記角度計測手段は、前記固定手段又は可動手段のいずれか一方に設けられた位置表示部と、いずれか他方に設けられた角度表示部（目盛り）とによって構成されていることを特徴とする遊技機用釘角度測定装置。上記手段によれば、基準位置にセットされる段階において、位置表示部と、角度表示部とが所定の位置関係に設定されることで、正確な角度が測定されうる。
【００１２】
手段３．上記手段２において、前記位置表示部又は角度表示部のうち、前記固定手段に設けられたいずれか一方は、前記可動手段が前記基準位置にあるときに前記固定手段に対し位置決め固定可能となっていることを特徴とする遊技機用釘角度測定装置。従って、可動手段が基準位置から傾動されて、釘の角度が測定されるに際し、位置表示部又は角度表示部のうち、前記固定手段に設けられたいずれか一方は、固定手段に対し位置決め固定されるため、計測中にずれたりすることがない。そのため、計測された値は、正確なものとなりうる。
【００１３】
手段４．遊技機の遊技盤面に対し植設された釘の盤面に対する角度を測定するための遊技機用釘角度測定装置であって、当接面を有し、基準位置調整に際しては該当接面が前記盤面に当接させられる固定手段と、前記固定手段に対し、傾動調節可能に軸支され、基準位置調整に際しては、自身が所定の基準位置に達するよう傾動調節されうるとともに、角度計測に際しては、前記基準位置よりも傾動されうる可動手段と、前記固定手段及び可動手段の少なくとも一方に設けられ、基準位置調整に際しては前記可動手段が基準位置に設定された状態で位置合わせ（ゼロ調整）が行われるとともに、角度計測に際しては、基準位置及び該基準位置よりも前記可動手段が傾動された位置間の角度を計測可能な角度計測手段とを備え、かつ、前記固定手段には、前記釘の少なくとも幹部に当接可能な複数の釘当接部が設けられていることを特徴とする遊技機用釘角度測定装置。
【００１４】
手段５．上記手段１〜４のいずれかにおいて、前記固定手段は、前記当接面と、それ以外の曲面又は複数の面とを有しており、前記釘当接部は、前記曲面の異なる位置又は複数の面に設けられていることを特徴とする遊技機用釘角度測定装置。上記手段によれば、複数の釘当接部は、それぞれ異なる方向を向いていることとなり、釘当接部、つまりは測定装置のセット位置を適宜変更させることで、いずれか１の釘当接部を釘の幹部に当接させやすいものとなる。
【００１５】
手段６．上記手段１〜５のいずれかにおいて、前記釘当接部は、前記釘の幹部の周面形状の一部に適合するほぼ直線状の凹溝であることを特徴とする遊技機用釘角度測定装置。上記手段によれば、測定に際し、釘当接部が釘にはまる格好となり、ぶれが生じにくい。
【００１６】
手段７．上記手段１〜６のいずれかにおいて、前記固定手段及び前記可動手段間には、前記可動手段の自由傾動を規制するための規制手段が設けられていることを特徴とする遊技機用釘角度測定装置。上記手段によれば、規制手段により、可動手段の自由傾動が規制される。このため、自由傾動の繰り返しによる可動手段の損傷が抑制されるとともに、測定に際しては、可動手段のぶれが抑制され、正確性が増す。
【００１７】
手段８．上記手段１〜７のいずれかにおいて、前記固定手段及び可動手段の少なくとも一方には、前記可動部材を傾動調節するための傾動調節手段を設けたことを特徴とする遊技機用釘角度測定装置。上記手段によれば、傾動調節手段を調節することにより、可動部材の傾動角度が調整されるため、測定に際しての操作性が向上する。
【００１８】
手段９．上記手段１〜８のいずれかにおいて、前記傾動調節手段は、先端が前記可動手段に当接し、かつ、前記固定部材に螺合された調節ねじであることを特徴とする遊技機用釘角度測定装置。上記手段によれば、調節ねじを螺進、螺退させることにより、可動手段の傾動状態が容易に調節される。
【００１９】
手段１０．上記手段９において、調節ねじの先端は、非平面状（例えば球面状）となっていることを特徴とする遊技機用釘角度測定装置。上記手段によれば、調節ねじを螺進、螺退させる際に、微妙な操作でもって、可動手段は微妙に傾動することとなり、精度の向上が図られる。
【００２０】
手段１１．上記手段１〜１０のいずれかにおいて、前記固定手段は、前記可動手段を収容するための収容部を有していることを特徴とする遊技機用釘角度測定装置。上記手段によれば、可動手段が固定手段の収容部に収容されうるため、装置全体の大きさがさほど大きくならず、コンパクト化が図られる。
【００２１】
手段１２．上記手段１〜１１のいずれかにおいて、前記可動手段は、自身が基準位置にあることを報知するための報知手段を備えていることを特徴とする遊技機用釘角度測定装置。上記手段によれば、オペレータ（測定者）は、上記報知手段により、可動手段が基準位置にあることを容易に把握することができる。
【００２２】
手段１３．上記手段１２において、前記報知手段は、透明な表示部を備えたケーシング並びにケーシングに内封された液体及び気泡によって構成されていることを特徴とする遊技機用釘角度測定装置。上記手段によれば、気泡の位置に基づいて、可動手段の基準位置を確認しうる。
【００２３】
手段１４．上記手段１〜１３において、前記基準位置は、水平位置であることを特徴とする遊技機用釘角度測定装置。
【００２４】
手段１５．上記手段１〜１４において、前記釘当接部は、前記固定手段に対し相対回動可能に設けられていることを特徴とする遊技機用釘角度測定装置。
【００２５】
以下、遊技機用釘角度測定装置をパチンコ遊技機（以下、単に「パチンコ機」という）の釘角度測定装置に具体化した一実施の形態を、図面に基づいて詳細に説明する。
【００２６】
まず、一般的なパチンコ機１の構成を説明する。図１に示すように、パチンコ機１は、外枠２と、該外枠２の前部に設けられ、外枠２の一側部にて開閉可能に設けられた前面枠３とを備えている。また、その前面枠３の前面側には、透明板扉枠としてのガラス扉枠４が開閉自在に設けられている。ガラス扉枠４には、透明板としての一対のガラス板が前後に所定間隔を隔てて取着されている。
【００２７】
前記前面枠３の後側（ガラス扉枠４の奥、外枠２の内側）には、樹脂製のミドルプレート（図示略）を介して遊技盤５が着脱可能に装着されている（ミドルプレートを省略して、直接遊技盤５を装着してもよい）。
【００２８】
図１，２に示すように、この遊技盤５の前面には、普通入賞口６、可変入賞装置７、作動口８、可変表示装置９、内側案内レール（内レール）１０、外側案内レール（外レール）１１等が配設されている。ここで、内レール１０及び外レール１１は、遊技球発射部より発射された遊技球Ｂを遊技盤５の上部に案内するためのガイド部材であって、略円弧状に敷設されている。
【００２９】
また、前記ガラス扉枠４の下側において、前面枠３には、前飾枠１２が開閉可能に設けられている。前飾枠１２には、上受皿１３が設けられている。一方、前面枠３の下部には、前記上受皿１３よりも下方位置に前記ミドルプレートを介して下受皿１４が設けられているとともに、遊技球発射部に対応してハンドル１５が設けられている。
【００３０】
可変表示装置９は、例えば液晶ディスプレイ（ＬＣＤ）よりなる表示画面を備えており、表示画面には例えば左図柄列、中図柄列及び右図柄列の３つの表示列が表示される。各図柄列は複数の図柄によって構成されており、これら図柄が各図柄列毎にスクロールされて表示画面に表示されるようになっている。
【００３１】
可変入賞装置７は、通常、遊技球Ｂが入賞できない状態又は入賞し難い状態になっている。より詳しくは、作動口８に対し遊技球Ｂが入賞することに基づいて、遊技盤５の中央部に配設された可変表示装置９の図柄がランダムに変動する。そして、停止した図柄が特定の組み合わせ（例えば「７」「７」「７」等のゾロ目）であることを必要条件に、可変入賞装置７の大入賞口が所定時間、所定回数だけ開いて、遊技球Ｂが入賞しやすい状態（大当たり状態）になるよう構成されている。
【００３２】
また、内レール１０の略上端部及び外レール１１間には、ハンドル操作に基づいて遊技球発射部より発射された遊技球Ｂが遊技盤５面上の遊技領域に放出される出口部が設けられている。遊技球Ｂは該出口部から遊技盤５の上部の遊技領域に案内された後、遊技盤５面に沿って落下する。さらに、周知のとおり、遊技盤５の遊技領域には、多数の釘Ｇが植設されている。従って、遊技盤５面の遊技領域に案内された遊技球Ｂは、前記釘Ｇに当たりながらその落下速度、落下方向を変えながら落下してゆく。この落下に際して、前記一般入賞口６、可変入賞装置７、作動口８に遊技球Ｂが入賞することに基づいて、上受皿１３（場合によっては下受皿１４）に対し所定数の景品球が払い出されるようになっている。
【００３３】
次に、本実施の形態にかかる釘角度測定装置２１の構成について説明する。図３及び図５に示すように、本実施の形態における釘角度測定装置２１は、ハウジング２２、水準器２３、目盛り板２４及びカバー２５等を備えている。これらは、いずれも主として無色透明の硬質樹脂材料により構成されている。ハウジング２２の一端側（図３，５の右側）は、先細り形状となっており、その先端にはシャフト２６が固定されている。該シャフト２６の先端側には、（３ｍｍ〜２０ｍｍ四方、望ましくは５ｍｍ〜１０ｍｍ四方の）略直方体形状をなす当接部材２７が取着固定されている。
【００３４】
当接部材２７は、その先端側において平面状の当接面２８を有しており、該当接面２８が前記遊技盤５の盤面に対し、ぐらつくことなく当接可能となっている。また、当接部材２７の４つの側面には、それぞれ第１〜第４の釘当接部３１〜３４が設けられている。これら釘当接部３１〜３４は、前記釘Ｇの幹部（円柱状の部分）の周面形状の一部に適合しうるよう直線凹溝状に形成されている。なお、当接部材２７は、シャフト２６に対しほぼ直線状に取着固定されているのに対し、シャフト２６は、ハウジング２２に対し、側方から見て約６度程度傾いた状態で固定されている。
【００３５】
ハウジング２２には、収容部３５が形成されており、該収容部３５に前記水準器２３が収容されるようになっている。水準器２３は、その一端側において、軸３７により、前記目盛り板２４とともに傾動可能に支持されている。また、この水準器２３は、軸硬質樹脂材料よりなるケーシング、並びに、該ケーシングの他端側に内封された蛍光色透明の液体及び気泡Ｆによって構成されている。前記液体及び気泡Ｆが内封された部分のほぼ中央部には、一対の基準線が付されており（図４（Ａ）〜（Ｃ）参照）、該基準線間に気泡Ｆが位置した場合には、前記水準器２３が水平状態になっているとみなすことができるようになっている（ケーシングの一部、液体、気泡Ｆ、基準線により、報知手段が構成されている）。
【００３６】
さらに、水準器２３の一側部には、位置表示部としての矢印３８が印刷されている。併せて、前記ケーシングの一端側及びハウジング２２には、それぞれ、ばね収容穴３９が形成されており（図５ではハウジング２２側のみを示す）、該ばね収容穴３９には、規制手段としてのコイルばね４１が収容されている。このコイルバネ４１の弾性復元力により、水準器２３の自由傾動（がたつき）が規制されるようになっている。
【００３７】
前記目盛り板２４は、前記水準器２３よりも外側において傾動可能に軸支されており、その他端の裏面側において、角度表示部としての目盛り４２が印刷されている。また、目盛り４２よりもさらに他端側には、長孔４３が形成されている。該長孔４３には後述するゼロ調整ねじ４４が挿通されるようになっている。なお、前記矢印３８及び目盛り４２は、刻印されたものであってもよいし、別途貼付されたシールにより構成されていてもよい。また、本実施の形態において、前記目盛り４２は、例えば「０度」から１度刻みに印が付されることによって構成されている。
【００３８】
さらに、前記水準器２３及び目盛り板２４を外側から覆うようにして、前記ハウジング２２には、カバー２５が複数のねじ４５で固定されている。カバー２５には、前記目盛り４２及び長孔４３に対応するようにして開口部４６が形成されている。さらに、カバー２５の他端側には、切り欠きが形成されており、該切り欠きから、前記目盛り板２４の一部が突出しており、該突出部分が操作部２４ａとなっている。
【００３９】
また、前記ハウジング２２には、インサートナット４７が固設されている。そして、前記長孔４３及び開口部４６に挿通された状態で、前記ゼロ調整ねじ４４が前記インサートナット４７に螺合されている。従って、該ゼロ調整ねじ４４を螺進させる（螺着状態にする）ことで、前記目盛り板２４を固定状態に維持することができる。一方、ゼロ調整ねじ４４を螺退させることで、前記目盛り板２４を長孔４３の範囲内で傾動させることができるようになっている。
【００４０】
併せて、前記ハウジング２２の収容部３５（図では底部）にも、インサートナット４８が固設されている。そして、該インサートナット４８には、傾動調節手段としての角度調節ねじ４９が螺合されている。従って、該角度調節ねじ４９を螺進退させることで、前記水準器２３が螺進退方向に傾動させることができるようになっている。但し、本実施の形態では、角度調節ねじ４９の先端部分は、非平面状（例えば球面状）に形成されており、微妙な傾動調節が行うことができるようになっている。なお、本実施の形態では、前記ハウジング２２、シャフト２６、当接部材２７及びカバー２５により固定手段が構成されている。また、主として水準器２３により可動手段が構成されている。さらには、目盛り板２４（目盛り４２を含む）、矢印３８等によって、角度計測手段が構成されている。
【００４１】
続いて、上記のように構成されてなる釘角度測定装置２１を用いて、実際に釘Ｇの角度を測定する際の測定方法について説明する。
【００４２】
（ゼロ調整）：パチンコ機１は、島に取り付けられた状態において、個々に傾斜度合いが異なっている。そのため、パチンコ機１毎に遊技盤５の傾斜度合いが異なっていることから、各パチンコ機１に応じた遊技盤５のゼロ調整を行う必要がある。すなわち、まず、図６に示すように、測定対象となる遊技盤５の盤面に対し、前記当接部材２７の当接面２８を当接させる。また、その当接状態において、角度調節ねじ４９を適宜螺進・螺退させ、同図及び図４（Ｂ）に示すように、気泡Ｆが基準線間に位置するようになるまで、水準器２３を適宜傾動させる。そして、その状態において、ゼロ調整ねじ４４を螺退させ（緩め）、目盛り板２４の操作部２４ａを傾動操作し、水準器２３に付された矢印３８と、目盛り板２４の目盛り４２の「０」の位置とを位置合わせする。さらに、位置合わせの後、ゼロ調整ねじ４４を螺進させ、目盛り板２４をハウジング２２に対し、移動不能とする。上記一連の操作を行うことにより、当該パチンコ機１の遊技盤５についてのゼロ調整を完了する。
【００４３】
（釘角度測定）：続いて、角度を測定しようとする釘Ｇについて、実際に角度測定を行う。すなわち、図７に示すように、角度を測定しようとする釘Ｇの幹部に対し、当接部材２７の釘当接部３１〜３４のうち最も当接しやすい部分を当接させる（図７では釘当接部３３）。また、その当接状態において、角度調節ねじ４９を適宜螺進・螺退させ、同図及び図４（Ｂ）に示すように、気泡Ｆが基準線間に位置するようになるまで、水準器２３を適宜傾動させる。そして、その状態において、矢印３８と合致する部分の目盛り板２４の値を読みとる（図７の例では、「５．０度」と読みとることができる）。そして、その読みとった値が、当該釘Ｇの盤面に対する正確な角度であるとして、当該釘角度の測定を完了する。また、他の釘角度についても、同一の遊技盤５に関する限り、一旦ゼロ調整を行った後であれば、上記釘角度測定操作を繰り返すだけで、正確な測定を行うことができる。さらに、別の遊技盤５については、再度ゼロ調整を行った上で、上記操作を行えばよい。
【００４４】
次に、本実施の形態の作用及び効果について説明する。
【００４５】
上述したように、本実施の形態によれば、当接部材２７の当接面２８が盤面に対し当接された状態で、ゼロ調整が行われ、その後、いずれかの釘当接部３１〜３４が釘Ｇの幹部に当接された状態で、水準器２３が傾動調節され、釘Ｇの角度が正確に測定されうる。
【００４６】
この測定に際して、本実施の形態では、当接部材２７に複数の釘当接部３１〜３４が設けられているため、釘Ｇが過密状態で植設されていたり、多様な植設パターンを有していたりすることにより、いずれかの釘当接部３１〜３４を釘Ｇの幹部に当接させることが困難な場合であっても、他の釘当接部３１〜３４が当該釘Ｇの幹部に当接させることができる。例えば、図２，８に示すように、遊技盤５の左側の釘ＧＡに関しては、当該釘ＧＡの幹部右側に当接部材２７の左部の釘当接部３４を当接させることができる（図８（Ａ）参照）。また、遊技盤５の可変表示装置９に近接した釘ＧＢに関しては、当該釘ＧＢの幹部下側に当接部材２７の上部の釘当接部３１を当接させることができる（図８（Ｂ）参照）。さらに、遊技盤５の下部の釘ＧＣに関しては、当該釘ＧＣの幹部上側に当接部材２７の下部の釘当接部３３を当接させることができる（図８（Ｃ）参照）。併せて、遊技盤５の右側の釘ＧＤに関しては、当該釘ＧＤの幹部左側に当接部材２７の右部の釘当接部３２を当接させることができる（図８（Ｄ）参照）。従って、本実施の形態では、従来では測定が不可能又は困難であった釘についても、釘当接部３１〜３４を適宜変更させることで、その角度を正確に測定することができる。
【００４７】
また、本実施の形態では、ゼロ調整を行うこととし、そのゼロ調整に際しては、水準器２３に付された矢印３８と、目盛り４２のゼロとを位置あわせし、それ以後目盛り板２４をハウジング２２に固定することとした。従って、実際の釘角度の測定に際して、目盛り板２４のずれが生じることなく、水準器２３の傾動操作及び目盛り４２の読みとりを行うのみで、正確な角度を測定することができる。
【００４８】
さらに、本実施の形態では、当接部材２７をほぼ直方体状にし、釘当接部３１〜３４を、その各側面に設けることとした。そのため、釘当接部３１〜３４は、それぞれ異なる方向を向いていることとなり、釘当接部３１〜３４、つまりは釘角度測定装置２１のセット位置を適宜変更させることで、いずれか１の釘当接部３１〜３４を釘Ｇの幹部に当接させやすいものとなる。従って、操作性の向上を図ることができる。
【００４９】
併せて、釘当接部３１〜３４は、釘Ｇの幹部の周面形状の一部に適合するほぼ直線凹溝状となっている。従って、測定に際し、釘当接部３１〜３４が釘Ｇにはまる格好となり、ぶれが生じにくい。その結果、さらなる測定精度の向上を図ることができる。
【００５０】
加えて、ハウジング２２及び水準器２３間には、コイルばね４１が設けられているため、水準器２３の自由傾動が規制される。従って、自由傾動の繰り返しによる水準器２３等の損傷を抑制することができるとともに、測定に際しては、水準器２３のぶれを抑制することができ、より一層正確性が増す。
【００５１】
また、水準器２３を傾動操作するに際しては、直接水準器２３を傾動させるのではなく、角度調節ねじ４９でもって水準器２３を間接的に傾動調節することとした。そのため、角度調節ねじ４９の螺進・螺退度合いを調節することにより、水準器２３の傾動角度が微妙に調整される。従って、測定に際しての操作性及び精度を向上させることができる。さらに、角度調節ねじ４９の先端は球面状となっていることから、微妙な傾動調節を容易に行うことができ、ひいては、より一層操作性及び精度の向上を図ることができる。
【００５２】
さらに、ハウジング２２に収容部３５を形成し、該収容部３５に水準器２３を収容可能とした。そのため、釘角度測定装置２１全体がさほど大きくならず、コンパクト化が図られる。その結果、携帯に便利なものとなり、遊技場関係者のみならず、営業マン等も簡単に持ち運ぶことができる。
【００５３】
併せて、水準器２３には自身が基準位置（水平位置）にあることを報知するための報知手段が設けられている。そのため、オペレータ（測定者）は、水準器２３が水平位置にあることを容易に把握することができ、結果として、ゼロ調整及び実際の角度測定を迅速に、かつ、正確に行うことができる。
【００５４】
加えて、一般的なパチンコ機というのは、垂直状態から約１度程度傾いた状態で設置されることが多い。また、釘Ｇの多くは、遊技盤５に対して所定角度（例えば３〜７度）上方へ傾くようにして植設される（これは、釘Ｇに当たった遊技球Ｂがガラス扉枠４のガラス板に勢いよく当たってしまうといった事態を極力回避するためである）。これに対し、本実施の形態では、このような当初からの細やかな傾きを考慮した上で、シャフト２６をハウジング２２に対し、側方から見て約６度程度傾いた状態で固定することとした。従って、ゼロ調整を行うに際し、及び、実際の釘Ｇの角度を測定するに際しては、図６，７に示すように、十分目盛り４２の範囲内（水準器２３の傾動可能な範囲内）において、傾動操作を行うことができる。そのため、水準器２３が傾動不能な状態、ひいては測定不能な状態に陥ってしまうことがなく、実際のパチンコ機１に則した測定を行うことができる。
【００５５】
さらにまた、本実施の形態では目盛り４２を目盛り板２４の裏面側に付すこととした。このため、目盛り４２と矢印３８との間に奥行き方向の間隔（隙間）がなくなる。その結果、いかなる角度から視認しても、測定値に差異が生じず、結果的に、より精度の高い測定値を得ることができる。
【００５６】
尚、上述した実施の形態の記載内容に限定されず、例えば次のように実施してもよい。
【００５７】
（ａ）上記実施の形態では、水準器２３に矢印３８を付し、目盛り板４２に目盛り４２を付すようにしたが、両者の関係を逆にしてもよい。また、水準器２３側にも目盛りを付すこととしてもよい。
【００５８】
（ｂ）上記実施の形態における角度調節ねじ４９を省略することとしてもよい。すなわち、オペレータの手によって直接水準器２３を傾動させるようにしてもよい。
【００５９】
（ｃ）上記実施の形態では、シャフト２６をハウジング２２に対し、側方から見て約６度程度傾いた状態で固定することとしたが、上記数値に何ら限定されるものではない。また、直線状に設けることとしても何ら差し支えない。
【００６０】
（ｄ）上記実施の形態では、釘当接部３１〜３４は釘Ｇの幹部にのみ当接可能となっていたが、釘Ｇの頭部にも当接可能な構成となっていてもよい。例えば、釘Ｇの幹部及び頭部の一部に則した形状を有する釘当接部としてもよい。
【００６１】
（ｅ）上記実施の形態では、ゼロ調整に際し、操作部２４ａを傾動操作することにより、目盛り板２４を傾動するようにしたが、例えばゼロ調整ねじの螺進退に応じて、傾動角度が変動しうるような構成としてもよい。
【００６２】
（ｆ）上記実施の形態では、当接部材２７としてほぼ直方体形状のものを採用し、四方に釘当接部３１〜３４を設けることとしたが、これに対し、三角柱、或いは五角柱以上の多角柱形状とし、各側面に釘当接部を設けることとしてもよい。また、円柱、楕円柱形状をなす当接部材を用いることもできる。
【００６３】
（ｇ）上記実施の形態では、一度おきに角度を測定することができるようになっていたが、さらにピッチの細かい或いは粗い目盛りを採用することにより、例えば０．１度おき、０．５度おき、２度おきに角度を測定することができるようになっていてもよい。
【００６４】
（ｈ）上記実施の形態では特に言及しなかったが、上記釘角度測定装置２１を、釘Ｇの角度を測定するのみならず、予め設定した角度に釘の角度を調節する装置として使用することもできる。かかる場合には、ゼロ調整した後、所定角度まで水準器２３を傾動させる。そして、釘Ｇの幹部が釘当接部３１〜３４に当接状態となるまで、槌等で叩いたり曲げたりすることにより、釘Ｇの角度を所望の角度に設定することもできる。また、上記のように調節装置として使用する場合には、釘角度調節ねじ４９の先端側をインサートナットに螺合しておいて、水準器２３を固定状態に維持できるようにしておくのが望ましい。
【００６５】
（ｉ）上記実施の形態では、基準位置にセットする際に水準器２３の液体、気泡Ｆ等を用いたが、上記構成の代わりに、基準位置にあることを検出しうるセンサを別途設けておき、これにより基準位置を把握できるようにしてもよい。
【００６６】
（ｊ）上記当接部材２７をハウジング２２に対し相対回動可能としてもよい。このような構成とすることで、さらに幅広く対応することが可能となる。
【００６７】
（ｋ）上記実施の形態では、水準器２３の自由傾動を規制するために、コイルばね４１を設けることとしたが、他の規制手段（例えばゴム棒、板バネ等）を用いることもできる。
【００６８】
（ｌ）上記実施の形態では、ハウジング２２に対し、水準器２３が収容可能な構成となっていたが、収容されない構成としてもよい。
【００６９】
（ｍ）上記実施の形態とは異なるタイプのパチンコ機にも適用できる。従って、可変表示装置９等のないパチンコ機や、他の役物を備えたパチンコ機にも応用できる。また、本発明は、パチンコ機以外にも雀球、アレンジボール、スマートボール等の遊技機にも応用可能である。
【００７０】
【発明の効果】
以上詳述したように、本発明によれば、パチンコ機等の遊技機の遊技盤面に対し植設された釘の盤面に対する角度を測定するための遊技機用釘角度測定装置において、釘が過密状態で植設されていたり、多様な植設パターンを有していたりしても、できるだけ多くの釘の角度を正確に測定することができるという優れた効果を奏する。
【図面の簡単な説明】
【図１】一実施の形態におけるパチンコ機を示す斜視図である。
【図２】パチンコ機の遊技盤の構成を示す正面図である。
【図３】釘角度測定装置を示す斜視図である。
【図４】（Ａ）〜（Ｃ）は、釘角度測定装置の部分平面図である。
【図５】釘角度測定装置を示す分解斜視図である。
【図６】釘角度測定装置を用いてゼロ調整を行っている状態を示す側面図である。
【図７】釘角度測定装置を用いて釘角度の測定を行っている状態を示す側面図である。
【図８】（Ａ）〜（Ｄ）は、釘角度測定装置を用いて釘角度の測定を行っている状態を示す遊技盤等の部分正面図である。
【符号の説明】
１…遊技機としてのパチンコ機、５…遊技盤、２１…釘角度測定装置、２２…ハウジング、２３…水準器、２４…目盛り板、２５…カバー、３１〜３４…釘当接部、４９…角度調節ねじ。
【図１】
0004427832.tif 000002
【図２】
0004427832.tif 000003
【図３】
0004427832.tif 000004
【図４】
0004427832.tif 000005
【図５】
0004427832.tif 000006
【図６】
0004427832.tif 000007
【図７】
0004427832.tif 000008
【図８】
0004427832.tif 000009